(57)【要約】【課題】強度があり、回転子が安定して回転する隠極式モーターの固定子を提供する。【解決手段】モーターの固定子２を複数の薄片を重ねて構成し、各薄片は主体片２１とその上下端に組み合わせられる二つの枠鉄２２とで構成する。各主体片２１は回転子を収納する回転子孔２１１を中央部に設け、回転子孔２１１の両側には外の方と上下に伸びる各翼部２１２が形成され、両翼部２１２は上部と下部に各空間を形成して各枠鉄２２を収納できる様にし、各翼部２１２の上端面２１３と下端面２１３には各々ほぞが形成され、更に枠鉄２２には下端面２１３あるいは上端面２１３に各々二つのほぞ孔が形成され、ほぞとほぞ孔が密接にはまり合って、二つの枠鉄２２が二つの翼部２１２の上下端に組み付けられ、その上下両側にある二つの枠鉄２２に捲かれるコイル２３により発生する磁極が回転子の上下にあるので、回転子はコイル２３の通電で発生する磁極作用により回転する。【選択図】図３
2006121895.tif 000002
【特許請求の範囲】
【請求項１】
所定の数量の薄片を重ねて構成され、前記各薄片は皆同じ位置に回転子を収納する回転子孔を持ち、前記各薄片が主体片と二つの枠鉄とで組み合わせて構成されているモーターの固定子において、
前記主体片は、前記回転子孔を中央部に持ち、前記回転子孔の左右両側に対称的に外に伸びると共に上下に伸びる各翼部を持ち、前記二つの翼部の前記回転子孔の上部とその下部の間はある予定の距離に一空間を形成し、前記各翼部はその上端面と下端面とに各はまり突起を持ち、
前記二つの枠鉄は各別に前記主体片の前記二つの翼部の上部と下部の間に組み付けられ、前記二つの枠鉄は各別に前記翼部の前記はまり突起と相対する位置にはまり孔を持ち、前記はまり孔は前記はまり突起と密接にはまり合って、前記各枠鉄は前記立体片に組み付けられ、前記各枠鉄は更にコイルを捲き付けられて電流を通らせて磁極を発生させ、前記回転子孔の回転子を回転させる様に構成されていることを特徴とする隠極式モーターの固定子。
【請求項２】
前記はまり突起は位置限定の案内突起であって、
前記はまり孔は前記案内面と相応する位置限定の案内みぞであって、
前記はまり突起と前記はまり孔とは相互に密接にはまり合うことを特徴とする請求項１に記載の隠極式モーターの固定子。
【請求項３】
前記はまり突起は位置限定の案内みぞにして、
前記はまり孔は位置限定の案内突起にして、
前記案内みぞと前記案内突起とは相互にはまり合うことを特徴とする請求項１に記載の隠極式モーターの固定子。
【請求項４】
前記位置限定の案内みぞは半蟻ほぞにして、
前記位置限定の案内突起は前記案内みぞと相応する半蟻さしであることを特徴とする請求項２或いは３に記載の隠極式モーターの固定子。
【請求項５】
前記位置限定の案内みぞは一種の蟻ほぞにして、
前記位置限定の案内突起は前記の案内みぞと相応する一蟻さしであることを特徴とする請求項２或いは３に記載の隠極式モーターの固定子。
【請求項６】
前記位置限定の案内みぞはカーブ状みぞにして、
前記位置限定の案内突起は前記案内みぞと相応するカーブ状突起であることを特徴とする請求項２或いは３に記載の隠極式モーターの固定子。
【請求項７】
前記薄片は金属で一体に製作されていることを特徴とする請求項１に記載の隠極式モーターの固定子。
【請求項８】
前記薄片は磁性を伝導する金属で一体に製作されていることを特徴とする請求項１に記載の隠極式モーターの固定子。
【請求項９】
前記薄片は磁性を伝導しない金属で一体に製作されていることを特徴とする請求項１に記載の隠極式モーターの固定子。
【発明の詳細な説明】
【技術分野】
【０００１】
本発明は、隠極式モーターの固定子の構造に関する。
【背景技術】
【０００２】
従来の隠極式モーターの固定子は図１及び図２が示す様に、ある予定の枚数の薄板１０を重ね合わせて構成され、各薄板１０は回転子を収納する回転子孔１１を持ち、この回転子孔の両外側に伸び出る各翼部１２を形成し、この二つの翼部１２の上半部の内側面の上半部に各カーブ面１３を持ち、更にその内側面の間に空間部１４を形成し、且両カーブ面１３の間の空間部１４に枠鉄１５がさし入れられて設置され、この枠鉄１５はその左右両側末端にカーブ面（凸出した面）１６を形成して、翼部１２の両カーブ面１３と密接にはまり合って枠鉄１５が安定して設置され、更に枠鉄１５の外周面にコイル１７が捲き付けられている。それでこのコイル１７に電流が通過したら、磁極を発生して、回転子が回転させられる。
【発明の開示】
【発明が解決しようとする課題】
【０００３】
上記の従来の固定子は図２が示す様に、枠鉄１５が薄板１０の空間１４の中におし込まれて設置されているので、枠鉄１５の長さは空間１４の幅よりもやや大きく、それで組み合わせる時、その両側端のカーブ面１６は自然と外の方に推す力Ｐが両翼部１２の両カーブ面１３にかかるから、両翼部１２が外の方に推し出される。元来、両翼部１２と回転子孔１１との間は区切り壁１８があるが、この区切り壁１８はその厚みがとても薄いので、その強度が弱く、その為に枠鉄１５を組み付ける時、両翼部１２がその作用力Ｐで外の方に推し広げられて、空間１４がやや増大して枠鉄１５との隙間がより大きくなり、それで枠鉄１５が薄板１０に組み付けた後の安定性が悪く、又全体の強度が不良である外、枠鉄１５と薄板１０との組み合わせがゆるく、磁極作用の安定性と効果に影響を及ぼす。更に枠鉄１５は薄板１０の一側にだけ設置してあるので、回転子に対する磁極作用が単側だけに限られて、モーターをスタートさせる時のトルクと馬力が比較的大きくない上に、磁極の分布が不平均でモーターの回転子が回転する時にたやすく一側にバイアスし回転の穏定性に影響を及ぼし且つ雑音も大きい。
【課題を解決するための手段】
【０００４】
それで本発明はモーターの固定子を複数の薄片を重ねて構成し、各薄片は主体片とこの主体片の上下端に組み合わせられる二つの枠鉄とで構成する。各主体片は回転子を収納する回転子孔を中央部に設け、この回転子孔の両側には外の方と上下に伸びる各翼部が形成され、この両翼部は上部と下部に各空間を形成して各枠鉄を収納できる様にし、各翼部の上端面と下端面には各々ほぞが形成され、更に枠鉄はその下端に、別の枠鉄はその上端面に各々二つのほぞ孔が形成され、それらのほぞとほぞ孔が密接にはまり合って、それで二つの枠鉄が二つの翼部の上下端に安定して組み付けられて完成した固定子はその構造の強度が良好で、且つその上下両側にある二つの枠鉄に捲かれるコイルにより発生する磁極が回転子の上下にあるので回転子はコイルの通電で発生する磁極作用により安定して回転することができる。それで従来のモーターの固定子の単一枠鉄の単一コイルに発生する回転子がバイアス的回転をする欠点を改善できる。
【発明を実施するための最良の形態】
【０００５】
本発明の第一実施例による隠極式モーターの固定子２は、図３及び図４が示す様に、ある予定の枚数の薄板２０を重ね合わせて構成され、各薄板２０は磁性を伝導できる金属或いは磁性を伝導しない金属で作られ、主体片２１と二つの枠鉄２２とが組み合わせられている。
主体片２１はその中央部に回転子を収納する回転子孔２１１を持ち、この回転子孔２１１の両側には対称的に外又は上下に伸び出る翼部２１２が形成され、これらの二つの翼部２１２の上端面２１３と下端面２１３はある予定の距離で開いていて各空間を形成し、更に各上下端面２１３には各はまり突起２１４が形成され、各突起２１４は位置限定の案内面にして、一種の半蟻さしの形状である。
【０００６】
次に二つの枠鉄２２は各々別に主体片２１の両側の翼部２１２に組み付けられ、各枠鉄２２には翼部２１２のはまり突起２１４と相対する位置に各はまり孔２２１が形成され、このはまり孔２２１はやはり位置限定の案内面にして、半蟻ほぞの形状ではまり突起２１４に密接にはまり合う。各枠鉄２２は重ね合わせたあと更にコイル２３が捲き付けられて、電流がこのコイル２３を通過する時は相対する磁極を発生して、回転子が回転させられる。
【０００７】
主体片２１と二つの枠鉄２２を組み合わせるには、図４が示す様に、枠鉄２２のはまり孔２２１を主体片２１の各はまり突起２１４におし込んでおく。はまり突起２１４とはまり孔２２１は共に半蟻ほぞの形状で密接にはまり合っているのでやたらに相互に脱離することなく、両翼部２１２は外の方にバイアスしなく、主体片２１と二つの枠鉄２２が組み合わせられて一体になった後はその全体の強度が極めて良好である。
【０００８】
上述の如く、二つの枠鉄２２と主体片２１で組み合わせて構成される薄板２０は絶対にゆるくなることがないので、二つの枠鉄２２のコイル２３が回転子に相対的に作用する際には、コイル２３が発生する磁極は極めて安定しているので、回転子が回転する隠定性が高められる上に、第一実施例の隠極式モーターの固定子２は主体片２１の両側に各枠鉄２２を設置しているから、主体片２１の両側に同時に同等の平均した磁極の作用を受けて、回転子に作用し回転子も平均した磁極の作用を受けて、その回転も安定しバイアスすることなく、従ってモーターの運転する時の雑音を有効的に軽減させる。
【０００９】
次に本発明の第二実施例を説明する。図５が示す様に、第二実施例は第一実施例と大体同じ構造を持ち、異なる点は第一実施例の主体片２１の翼部２１２の各はまり突起２１４が第二実施例でははまり孔２１４ａに変更され、第一実施例の枠鉄２２の各はまり孔２２１は第二実施例でははまり突起２２１ａに変更されている点にあり、この両部分はやはり半蟻ほぞの形状にして相互に密接にはまり合い、それで第二実施例は第一実施例と同様な強度を持っている。
【００１０】
更に本発明は第三実施例を持ち、図６が示す様に、第一実施例と異なる点は、第一実施例の翼部２１２のはまり突起２１４は半蟻ほぞの形状であるが第三実施例ではこのはまり突起２１４ｂは完全蟻ほぞの形状であり、同様に第三実施例の枠鉄２２のはまり孔２２１ｂも完全蟻ほぞの形状にしているから両部分は同じく密接にはまり合って主体片２１と二つの枠鉄２２が組み合わせられて一体になった時の強度もやはり極めて良好である。
【００１１】
更に図７は本発明の第四実施例を示し、第一実施例と異なる点は第一実施例の翼部２１２のはまり突起２１４が半蟻ほぞの形状である代わりに、第四実施例のほぞ２１４ｃは約４分の３の円形状に形成されていて、更にはまり孔２２１のはまりみぞ２２１ｃも同じ４分の３の円形状に合わせられている点で、第四実施例の薄板２０も上述の各実施例と同等な強度を持っている。
【００１２】
本発明の実施例による隠極式モーターの固定子は全体の組み合わせ、即ち主体片と二つの枠鉄との組み合わせが容易な上、極めて安定し、固定子の両側にコイルを捲き付けた各々一つの枠鉄を持つため、相対する両側に平均な磁極作用を発生するので、その中間にある回転子は安定な回転ができる。更にそれで回転により発生する雑音も極めて軽減される。その外モーターがスタートされる時は両磁極の作用により起動トルクが高められて、その馬力が従って高められる効果がある。
【図面の簡単な説明】
【００１３】
【図１】従来の隠極式モーターの固定子が組み合わせられた状態の正面図である。
【図２】従来の隠極式モーターの固定子が分解された状態の正面図である。
【図３】本発明の第一実施例による隠極式モーターの固定子が部分分解された状態の正面図である。
【図４】本発明の第一実施例による隠極式モーターの固定子が組み合わせられた状態の正面図である。
【図５】本発明の第二実施例による隠極式モーターの固定子が部分分解された状態の正面図である。
【図６】本発明の第三実施例による隠極式モーターの固定子が部分分解された状態の正面図である。
【図７】本発明の第四実施例による隠極式モーターの固定子が部分分解された状態の正面図である。
【符号の説明】
【００１４】
２  固定子、２１  主体片、２１１  回転子孔、２１２  翼部、２１３  上下端面、２１４  はまり突起、２１４ａ  はまり孔、２１４ｂ  はまり突起、２１４ｃ  はまり突起、２２  枠鉄、２２１  はまり孔、２２１ａ  はまり突起、２２１ｂ  はまりみぞ、２２１ｃ  はまりみぞ、２３  コイル
【図１】
2006121895.tif 000003
【図２】
2006121895.tif 000004
【図３】
2006121895.tif 000005
【図４】
2006121895.tif 000006
【図５】
2006121895.tif 000007
【図６】
2006121895.tif 000008
【図７】
2006121895.tif 000009